【手続補正書】
【提出日】平成28年2月16日(2016.2.16)
【手続補正１】
【補正対象書類名】明細書
【補正対象項目名】００１１
【補正方法】変更
【補正の内容】
【００１１】
上記目的を達成するために、本発明の撮像装置は、受光した光を電気信号に変換する撮像手段と、前記撮像手段を駆動するための同期信号を生成する生成手段と、前記撮像手段から得られた電気信号から画像データを生成する画像処理を行う画像生成手段と、前記画像データを記憶する記憶手段と、表示手段と、前記記憶手段に記憶された画像データを読み出して前記表示手段に表示する表示処理を行う表示制御手段とを有し、前記生成手段は、前記撮像手段の１フレームの周期である第１の周期が前記表示制御手段の１フレームの周期である第２の周期よりも短い場合に、前記表示制御手段による前記表示処理の開始を同期の基準として、前記画像生成手段が予め決められた量の画像データの画像処理を行ったタイミングで前記表示処理が開始されるように前記撮像手段の前記同期信号の位相を制御し、前記第１の周期が前記第２の周期以上の場合に、１フレーム分の前記表示処理の完了を同期の基準として、前記画像生成手段により１フレーム分の画像処理が終了した時に、前記表示制御手段により処理されていない予め決められた量の画像データが前記記憶手段に残るように前記撮像手段の前記同期信号の位相を制御する。
【手続補正２】
【補正対象書類名】明細書
【補正対象項目名】００２４
【補正方法】変更
【補正の内容】
【００２４】
処理時間計算部１０２は、モード判別部１００から出力された表示系の水平同期信号の周期と、１フレーム内の有効データライン数を乗算することにより、表示制御部１６の処理時間（図３に示すＴｄｏ）を算出する。この処理時間は１フレーム内の、無効データ期間（ブランキング期間）を含まない。また、撮像系同期信号に同期して生成される、画像生成部１４の処理開始のタイミングから、メモリ１５への書き込みの完了割り込みがあるまでの時間を画像生成部１４の処理時間（図３に示すＴｉｏ）として算出する。更に、画像生成部１４の処理時間を画像生成部１４の処理ライン数で割ることにより、１ライン分の処理時間を算出する。
【手続補正３】
【補正対象書類名】特許請求の範囲
【補正対象項目名】全文
【補正方法】変更
【補正の内容】
【特許請求の範囲】
【請求項１】
受光した光を電気信号に変換する撮像手段と、
前記撮像手段を駆動するための同期信号を生成する生成手段と、
前記撮像手段から得られた電気信号から画像データを生成する画像処理を行う画像生成手段と、
前記画像データを記憶する記憶手段と、
表示手段と、
前記記憶手段に記憶された画像データを読み出して前記表示手段に表示する表示処理を行う表示制御手段とを有し、
前記生成手段は、
前記撮像手段の１フレームの周期である第１の周期が前記表示制御手段の１フレームの周期である第２の周期よりも短い場合に、前記表示制御手段による前記表示処理の開始を同期の基準として、前記画像生成手段が予め決められた量の画像データの画像処理を行ったタイミングで前記表示処理が開始されるように前記撮像手段の前記同期信号の位相を制御し、
前記第１の周期が前記第２の周期以上の場合に、１フレーム分の前記表示処理の完了を同期の基準として、前記画像生成手段により１フレーム分の画像処理が終了した時に、前記表示制御手段により処理されていない予め決められた量の画像データが前記記憶手段に残るように前記撮像手段の前記同期信号の位相を制御する
ことを特徴とする撮像装置。
【請求項２】
前記予め決められた量の画像データは、１ライン分の画像データであることを特徴とする請求項１に記載の撮像装置。
【請求項３】
前記撮像手段の撮影モード及び前記表示手段の表示方式の少なくともいずれかを変更するための操作手段を更に有し、
前記生成手段は、前記操作手段により前記撮影モード及び表示方式の少なくともいずれか一方が変更された場合に、前記位相の制御を行うことを特徴とする請求項１または２に記載の撮像装置。
【請求項４】
前記生成手段は、前記第１の周期と前記第２の周期とが整数比となるフレーム数毎に、前記位相の制御を行うことを特徴とする請求項１または２に記載の撮像装置。
【請求項５】
受光した光を電気信号に変換する撮像手段と、前記撮像手段を駆動するための同期信号を生成する生成手段と、前記撮像手段から得られた電気信号から画像データを生成する画像処理を行う画像生成手段と、前記画像データを記憶する記憶手段と、表示手段と、前記記憶手段に記憶された画像データを読み出して前記表示手段に表示する表示処理を行う表示制御手段とを有する撮像装置の制御方法であって、
前記撮像手段の１フレームの周期である第１の周期が前記表示制御手段の１フレームの周期である第２の周期よりも短い場合に、前記生成手段が、前記表示制御手段による前記表示処理の開始を同期の基準として、前記画像生成手段が予め決められた量の画像データの画像処理を行ったタイミングで前記表示処理が開始されるように前記撮像手段の前記同期信号の位相を制御する工程と、
前記第１の周期が前記第２の周期以上の場合に、前記生成手段が、１フレーム分の前記表示処理の完了を同期の基準として、前記画像生成手段により１フレーム分の画像処理が終了した時に、前記表示制御手段により処理されていない予め決められた量の画像データが前記記憶手段に残るように前記撮像手段の前記同期信号の位相を制御する工程と
を有することを特徴とする撮像装置の制御方法。
【請求項６】
受光した光を電気信号に変換する撮像手段と、
前記撮像手段を駆動するための同期信号を生成する生成手段と、
前記撮像手段から得られた電気信号から画像データを生成する画像処理を行う画像生成手段と、
前記画像データを記憶する記憶手段と、
表示手段と、
前記記憶手段に記憶された画像データを読み出して前記表示手段に表示する表示処理を行う表示制御手段とを有し、
前記生成手段は、
前記撮像手段の１フレームの周期である第１の周期が前記表示制御手段の１フレームの周期である第２の周期よりも短い場合に、前記画像生成手段が予め決められた量の画像データの画像処理を行ったタイミングで前記表示処理が開始されるように前記撮像手段の前記同期信号の位相を制御し、
予め決められたフレーム数毎に前記同期信号の位相を算出し、前記予め決められたフレーム数の間のフレームでは前記同期信号の位相を算出しない
ことを特徴とする撮像装置。
【請求項７】
前記予め決められたフレーム数は、前記第１の周期と前記第２の周期とが整数比となるフレーム数であることを特徴とする請求項６に記載の撮像装置。
【請求項８】
受光した光を電気信号に変換する撮像手段と、
前記撮像手段を駆動するための同期信号を生成する生成手段と、
前記撮像手段から得られた電気信号から画像データを生成する画像処理を行う画像生成手段と、
前記画像データを記憶する記憶手段と、
表示手段と、
前記記憶手段に記憶された画像データを読み出して前記表示手段に表示する表示処理を行う表示制御手段とを有し、
前記生成手段は、
前記撮像手段の１フレームの周期である第１の周期が前記表示制御手段の１フレームの周期である第２の周期以上の場合に、前記画像生成手段により１フレーム分の画像処理が終了した時に、前記表示制御手段により処理されていない予め決められた量の画像データが前記記憶手段に残るように前記撮像手段の前記同期信号の位相を制御し
予め決められたフレーム数毎に前記同期信号の位相を算出し、前記予め決められたフレーム数の間のフレームでは前記同期信号の位相を算出しない
ことを特徴とする撮像装置。
【請求項９】
前記予め決められたフレーム数は、前記第１の周期と前記第２の周期とが整数比となるフレーム数であることを特徴とする請求項８に記載の撮像装置。
【請求項１０】
受光した光を電気信号に変換する撮像手段と、前記撮像手段を駆動するための同期信号を生成する生成手段と、前記撮像手段から得られた電気信号から画像データを生成する画像処理を行う画像生成手段と、前記画像データを記憶する記憶手段と、表示手段と、前記記憶手段に記憶された画像データを読み出して前記表示手段に表示する表示処理を行う表示制御手段とを有する撮像装置の制御方法であって、
前記撮像手段の１フレームの周期である第１の周期が前記表示制御手段の１フレームの周期である第２の周期よりも短い場合に、前記生成手段が、前記画像生成手段が予め決められた量の画像データの画像処理を行ったタイミングで前記表示処理が開始されるように前記撮像手段の前記同期信号の位相を制御する工程を有し、
予め決められたフレーム数毎に前記同期信号の位相を算出し、前記予め決められたフレーム数の間のフレームでは前記同期信号の位相を算出しないことを特徴とする撮像装置の制御方法。
【請求項１１】
受光した光を電気信号に変換する撮像手段と、前記撮像手段を駆動するための同期信号を生成する生成手段と、前記撮像手段から得られた電気信号から画像データを生成する画像処理を行う画像生成手段と、前記画像データを記憶する記憶手段と、表示手段と、前記記憶手段に記憶された画像データを読み出して前記表示手段に表示する表示処理を行う表示制御手段とを有する撮像装置の制御方法であって、
前記撮像手段の１フレームの周期である第１の周期が前記表示制御手段の１フレームの周期である第２の周期以上の場合に、前記生成手段が、前記画像生成手段により１フレーム分の画像処理が終了した時に、前記表示制御手段により処理されていない予め決められた量の画像データが前記記憶手段に残るように前記撮像手段の前記同期信号の位相を制御する工程を有し、
予め決められたフレーム数毎に前記同期信号の位相を算出し、前記予め決められたフレーム数の間のフレームでは前記同期信号の位相を算出しないことを特徴とする撮像装置の制御方法。
【手続補正４】
【補正対象書類名】図面
【補正対象項目名】図２
【補正方法】変更
【補正の内容】
【図２】
2014165755.tif 000001
【手続補正５】
【補正対象書類名】図面
【補正対象項目名】図４
【補正方法】変更
【補正の内容】
【図４】
2014165755.tif 000002